(57)【要約】【課題】アンテナと人体との間に距離を置いて、電磁波の人体に対する影響を減らすため、送信電力によるＳＡＲ値を記憶し、前記ＳＡＲ値によってアンテナの角度を調節し、前記ＳＡＲ値を使用者に表示する方法を提供する。【解決手段】移動通信端末機に、送信電力値に対応するＳＡＲ値が前もって記憶させておく。移動通信端末機は、通話状態で現在の送信電力に比例するＳＡＲ値をメモリから読み取り、基準値を超えると、アンテナの角度を調節する。通話が終了すると、アンテナの角度を元の位置に戻す。また、ＳＡＲ値が基準値を超えると、警告音を発生させることもできる。【選択図】図２
2005102205.tif 000002
【特許請求の範囲】
【請求項１】
通話状態であるかを確認する第１段階と、
通話状態であると、メモリから現在の送信電力に対応するＳＡＲ値を読み取る第２段階と、
ＳＡＲ値に応じてアンテナの角度を調節する第３段階とを含んでなることを特徴とする移動通信端末機においてＳＡＲ値によってアンテナの角度を調節する方法。
【請求項２】
通話が終了すると、アンテナを元の位置に戻す第４段階をさらに含むことを特徴とする請求項１に記載の移動通信端末機においてＳＡＲ値によってアンテナの角度を調節する方法。
【請求項３】
前記第３段階は、
ＳＡＲ値に対応するアンテナの角度値をメモリから読み取る段階と、
前記アンテナの角度値に応じてアンテナの角度を調節する段階とを含むことを特徴とする請求項１に記載の移動通信端末機においてＳＡＲ値によってアンテナの角度を調節する方法。
【請求項４】
前記第３段階は、
ＳＡＲ値が基準値を超えると、アンテナの角度を増やす段階と、
ＳＡＲ値が基準値以下であると、アンテナを元の位置に戻す段階とを含むことを特徴とする請求項１に記載の移動通信端末機においてＳＡＲ値によってアンテナの角度を調節する方法。
【請求項５】
ＳＡＲ値が基準値を超えると、警告音を発生する段階をさらに含むことを特徴とする請求項４に記載の移動通信端末機においてＳＡＲ値によってアンテナの角度を調節する方法。
【請求項６】
通話状態であるかを確認する第１段階と、
通話状態であると、メモリから現在の送信電力に対応するＳＡＲ値を読み取る第２段階と、
ＳＡＲ値が基準値を超えると、警告音を発生することを特徴とする移動通信端末機においてＳＡＲ値によって警告音を発生させる方法。
【請求項７】
前記第３段階は、
前記ＳＡＲ値が基準値を超えると、ＳＡＲ値をディスプレイする段階をさらに含むことを特徴とする請求項６に記載の移動通信端末機においてＳＡＲ値によって警告音を発生させる方法。
【発明の詳細な説明】
【技術分野】
【０００１】
本発明は移動通信端末機の使用中の電磁波からの弊害を減らす方法に関し、より詳しくは移動通信端末機においてＳＡＲ値によってアンテナの角度を調節する方法及びＳＡＲ値を使用者に通知する方法に関するものである。
【背景技術】
【０００２】
ＳＡＲ（Ｓｐｅｃｉｆｉｃ  Ａｂｓｏｒｐｔｉｏｎ  Ｒａｔｅ）は移動通信端末機から放出される電磁波を人体がどのくらい吸収するかを示す数値である。即ち、移動通信端末機を使用するとき、人体に吸収される単位質量当たり電磁波の吸収量であって、測定値が高いと、人体に悪い影響を与えることができるので、各国では人体の頭部に対するＳＡＲ値が基準値を超えないように規制している。韓国と米国のＳＡＲ許容基準値は１．６Ｗ／ｋｇであるが、ヨーロッパや日本はこれより高い２．０Ｗ／ｋｇを基準としている。
【０００３】
このように、従来はＳＡＲを規制することで、電磁波が人体に及ぼす影響を減らしてきた。しかし、実際に、使用者の使用方法又は習慣によって、電磁波が人体に直接及ぼす影響は異なり得る。また、電波の環境によってＳＡＲが変わる。
【０００４】
従来の電磁波による影響を減らすための技術の一つは、移動通信端末機の電磁波遮断ケースに関するもので、導電性材料で多様なデザインにケースを製作して電磁波遮断効果を与えるものである。これは、電磁波遮蔽効果により、移動通信端末機自体のＥＭＩ（電磁妨害）、ＥＭＳ（電磁波耐性）に対する効果を与えることができるが、アンテナから輻射される電磁波に対する影響を減らすことはできなく、理論的に電磁波遮蔽材料を移動通信端末機に適用する場合、このような遮蔽物質により再反射されて、却って電磁波が人体に吸収される程度を高める問題点があった。
【０００５】
一方、人体に吸収される電磁波を減少させるためのほかの技術としては、アンテナを既存の移動通信端末機の上部に配置しなくて移動通信端末機の下部に配置して、人体の頭部との距離を大きくすることにより、電磁波による人体の影響を減らすようにしたものがある。このような構造は、アンテナの特性に影響を与えずに人体の頭部への電磁波吸収率を減少させる利点がある反面、アンテナが移動通信端末機の下部に配置されることにより、人体の頭部に及ぼす影響を減少させることができるが、心臓拍動器などを使用する人には致命的な悪影響を与える可能性があり、さらにアンテナの既存位置とは反対に配置されるため、移動通信端末機を使用するのに不便さが伴う問題点があった。
【０００６】
また、移動通信端末機の電磁波低減の対策として、各種遮蔽材及び吸収体を使用した付着用品が提示されている。しかし、このような付着用品に対する電磁波低減効果は、材質によって差があり得るが、電磁波遮蔽材の場合、却って人体への電磁波吸収率を増加させ、電磁波吸収体の場合、およそ１０〜２０％の減少効果をもたらすが、アクセサリに過ぎなくて、電子波を低減させる根本的な解決方法とはならない問題点があった。
【発明の開示】
【発明が解決しようとする課題】
【０００７】
したがって、本発明は前記のような従来の問題点を解決するためになされたもので、アンテナと人体との間に距離を置いて、電磁波の人体に対する影響を減らすため、送信電力（Ｔｘ  Ｐｏｗｅｒ）によるＳＡＲ値を記憶し、前記ＳＡＲ値によってアンテナの角度を調節する方法を提供することにその目的がある。
【０００８】
また、本発明は、前記ＳＡＲ値を使用者に表示する方法を提供することにほかの目的がある。
【課題を解決するための手段】
【０００９】
前記のような目的を達成するため、本発明は、メモリに送信電力に対応するＳＡＲ値を記憶させておく。通話状態では、メモリから現在の送信電力に対応するＳＡＲ値を読み取り、ＳＡＲ値に応じてアンテナの角度を調節するか、あるいはＳＡＲ値が基準値を超えると、警告音を発生する。通話状態が終了すると、アンテナを元の位置に戻すことが好ましい。
【００１０】
また、ＳＡＲ値に対応するアンテナの角度値もメモリに前もって記憶させておき、通話中には、ＳＡＲ値に対応するアンテナの角度値に応じてアンテナの角度を調節することができる。又は、ＳＡＲ値が基準値を超えるかを確認し、基準値を超えると、アンテナの角度を増やし、ＳＡＲ値が基準値以下であると、アンテナを元の位置に戻すこともできる。
【００１１】
また、ＳＡＲ値が基準値を超えると、ＳＡＲ値を画面にディスプレイすることもできる。
【００１２】
本発明は、要するに、送信電力、これに対応するＳＡＲ値、または基地局からの送信電力指示に基づいて、アンテナの角度、位置または電磁シールド部材の位置を調整する移動通信端末機またはその制御方法であり、その一部をコンピュータプログラムとして実現しても良い。以下では、送信電力からＳＡＲ値を決定してアンテナ角度を制御する例を挙げるが、当業者には周知な設計変更により上述の特徴を実現できることは明らかである。
【００１３】
また、本発明は、送信電力に応じてＳＡＲ値を算出し、所定値を超えるＳＡＲ値の場合に、その値をユーザに提示したり、または警告を出力したりする移動通信端末またはその制御方法である。
【発明の効果】
【００１４】
以上のような本発明によると、ＳＡＲ値によって移動通信端末機のアンテナ角度を調節して、ＳＡＲ値が高いとき、人体とアンテナ間に距離を置くことにより、電磁波の影響を減らすことができる。また、ＳＡＲ値が基準値以上となると警告音を出すことにより、使用者が移動通信端末機の使用を抑制するか、あるいはイヤーセットやスピーカーホンを使用することで電磁波による影響を減少させることができる。
【発明を実施するための最良の形態】
【００１５】
以下、本発明の実施例を添付図面に基づいて詳細に説明する。
【００１６】
図１は本発明の好ましい実施例による移動通信端末機の内部構造を示すブロック図である。同図に示すように、本発明の実施例による移動通信端末機は、入力部１１０、表示部１２０、メモリ１３０、制御部１４０、無線回路部１５０、アンプ部１６０、及びアンテナ１７０からなる。
【００１７】
入力部１１０はキーパッド、ジョグシャトル、ポイントスティック、タッチスクリーンなどの多様な素子から具現し得るもので、使用者が所望機能を選択するか又は情報を入力するときに使用される。
【００１８】
表示部１２０は使用者にいろいろの情報を示すためのもので、ＬＣＤが主に使用される。本発明の実施例においては、ＳＡＲ値を表示部１２０にディスプレイする。
【００１９】
メモリ１３０は移動通信端末機が動作するのに必要なプログラムとデータを記憶しているもので、ＥＰＲＯＭ（Ｅｒａｓａｂｌｅ  Ｐｒｏｇｒａｍｍａｂｌｅ  Ｒｅａｄ−ｏｎｌｙ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、フラッシュメモリなどの多様な素子から構成できる。また、メモリ１３０には送信電力に比例するＳＡＲ値が記憶されているが、実施例によってはＳＡＲ値に対応するアンテナの角度値を記憶することもできる。
【００２０】
制御部１４０は移動通信端末機の全体動作を制御する役割をする。制御部１４０はマイクロプロセッサ、ＤＳＰ（Ｄｉｇｉｔａｌ  Ｓｉｇｎａｌ  Ｐｒｏｃｅｓｓｏｒ）などから構成できる。本発明の実施例においては、メモリ１３０から送信電力に対応するＳＡＲ値を読み取り、これに応じてアンテナ１７０の角度を調節する。また、前記ＳＡＲ値を表示部１２０にディスプレイさせるか、又はアンプ１６０を介して警告音を出す。
【００２１】
無線回路部１５０は基地局と音声及び制御情報を無線でやり取りするための回路で、外部の移動通信端末機が送信する呼信号をアンテナを介して受信し、これを制御部１４０に伝送するか、又はメモリ１３０に記憶されているデータをアンテナを介して発信者の電話機に伝送する機能をする。
【００２２】
アンプ１６０はスピーカーを介して音響を出力する。本発明の実施例ではＳＡＲ値によって警告音を出す。
【００２３】
アンテナ１７０はモータなどの手段により角度が調節できる。
【００２４】
図２は本発明の好ましい実施例による移動通信端末機のアンテナの角度を調節する方法を示すフローチャートである。
【００２５】
移動通信端末機は、待機状態で呼信号を受信するか又は使用者が呼信号を発信すると、通話状態となり、そうでないと、続けて待機状態にある（Ｓ２１０、Ｓ２２０）。
【００２６】
移動通信端末機が通話状態であると、制御部１４０は送信電力によるＳＡＲ値をメモリ１３０から読み取る（Ｓ２３０）。
【００２７】
そして、制御部１４０は、前記ＳＡＲ値によってアンテナ１７０の角度を調節する（Ｓ２４０）。角度の調節方法としては、ＳＡＲ値に対応するアンテナの角度値をメモリ１３０に前もって記憶させておき、通話中に、ＳＡＲ値に対応するアンテナの角度値にアンテナ１７０の角度を調節することができる。又は、ＳＡＲ値が基準値を超えるかを確認し、基準値を超えると、アンテナ１７０の角度を増やしてアンテナ１７０を傾け、ＳＡＲ値が基準値以下であると、アンテナ１７０を元の位置に戻すことも可能である。
【００２８】
移動通信端末機の通話中にＳＡＲ値が変わると、それによってアンテナ１７０の角度を調節し、通話が終了すると、アンテナ１７０を元の位置に戻す（Ｓ２５０、Ｓ２６０）。
【００２９】
図３は本発明の好ましい実施例によるＳＡＲ値を使用者に表示する方法を示すフローチャートである。
【００３０】
移動通信端末機は、待機状態で呼信号を受信するか又は使用者が呼信号を発信すると、通話状態となり、そうでないと、引き続き待機状態にある（Ｓ３１０、Ｓ３２０）。
【００３１】
移動通信端末機が通話状態であると、制御部１４０は送信電力によるＳＡＲ値をメモリ１３０から読み取る（Ｓ３３０）。
【００３２】
この際、前記ＳＡＲ値が前もって設定された基準値以上であると、制御部１４０はアンプ１６０を介して警告音を出し、前記ＳＡＲ値を表示部１２０にディスプレイする。そうでないと、制御部１４０は送信電力によるＳＡＲ値を読み取り続け、前記基準値を超えるかを確認する（Ｓ３４０、Ｓ３５０）。
【００３３】
以上、本発明の好ましい実施例に基づいて本発明を説明したが、この実施例は本発明を限定するためのものではなく、本発明を例示するためのものである。本発明が属する技術分野での通常の知識を持った者であれば、本発明の思想、及び請求範囲により決められる権利範囲から逸脱しないで多様な変形及び修正をなし得ることが分かる。
【図面の簡単な説明】
【００３４】
【図１】本発明の好ましい実施例による移動通信端末機の内部構造を示すブロック図である。
【図２】本発明の好ましい実施例による移動通信端末機のアンテナ角度調節方法を示すフローチャートである。
【図３】本発明の好ましい実施例によるＳＡＲ値を使用者に示す方法を示すフローチャートである。
【符号の説明】
【００３５】
１１０    入力部
１２０    表示部
１３０    メモリ
１４０    制御部
１５０    無線回路部
１６０    アンプ
１７０    アンテナ
【図１】
2005102205.tif 000003
【図２】
2005102205.tif 000004
【図３】
2005102205.tif 000005